(57)【要約】【課題】  電池電圧の低下に伴い低電圧通報が発報された後に緊急通報ボタンが押下された場合に、所定の宛先へ緊急通報信号を無線送信できる緊急通報装置を提供する。【解決手段】  緊急通報装置１は、自装置が備える電池１０１と、前記電池１０１の出力電圧を所定の周期で監視する電圧監視部１０２と、電池１０１からの出力電圧を昇圧する電圧昇圧部１０３と、所定の宛先へ緊急通報信号を無線送信する通報部１０４と、各部を制御する制御部１０５と、電池交換アラームを表示するアラーム部１０８を有し、前記電圧監視部１０２が前記電池１０１の出力電圧が予め低電圧であることを検知し、前記低電圧以下の状態で緊急通報ボタン１０６が押下された場合に、電池１０１からの出力電圧を昇圧し、前記昇圧した電圧により所定の宛先へ緊急通報信号を無線部１０７にて無線送信を行う。【選択図】    図１
2016158193.tif 000002
【特許請求の範囲】
【請求項１】
電池で動作する緊急通報装置であって、
前記電池の出力電圧を所定の周期で監視する電圧監視手段と、前記電池からの出力電圧を昇圧する電圧昇圧手段と、所定の宛先へ緊急通報信号を無線送信する通報手段と、を有し、
前記電圧監視手段が前記電池の出力電圧が予め定められた低電圧であることを検知し、前記低電圧以下の状態で緊急通報ボタンが押下された場合に、前記電池からの出力電圧を昇圧し、前記昇圧した電圧により所定の宛先へ緊急通報信号を無線送信することを特徴とする低電圧監視装置。
【発明の詳細な説明】
【技術分野】
【０００１】
本発明は、電池等で駆動する携帯機器において、低電圧以下の状態にあっても動作する事が可能な緊急通報装置に関する。
【背景技術】
【０００２】
従来、携帯端末において、電池の低電圧を利用者に通知する際、電池が消耗していることを事前に通知した後に、一定時間経過後に低電圧通報を行う低電圧検出装置が知られている（例えば、特許文献１）。当該低電圧検出装置は、低電圧通報後に電池電圧の低下により操作が不能になる前に電池電圧の低下を通知し、一定期間中にデータの保存などの適切な操作を行うことが可能な点を特徴にしている。
【０００３】
しかしながら、特許文献１の技術においては、電池電圧の低下により低電圧通報後は機能が停止してしまう為、操作が不能になってしまう。そのため、低電圧通報後に速やかに電池交換がなされないと、緊急事態が発生した場合に通報が出来なくなるという懸念がある。
【先行技術文献】
【特許文献】
【０００４】
【特許文献１】特開２００８−１１８４２９号公報
【発明の概要】
【発明が解決しようとする課題】
【０００５】
そこで、本発明の課題は、電池電圧の低電圧通報後に必要に応じて電池からの出力電圧を昇圧し、低電圧通報後でも所定の宛先へ緊急通報信号を無線送信できる緊急通報装置を提供することにある。
【課題を解決するための手段】
【０００６】
上記の課題を解決するために、本発明は、電池で動作する緊急通報装置であって、前記電池の出力電圧を所定の周期で監視する電圧監視手段と、前記電池からの出力電圧を昇圧する電圧昇圧手段と、所定の宛先へ緊急通報信号を無線送信する通報手段と、を有し、前記電圧監視手段が前記電池の出力電圧が予め定められた低電圧であることを検知し、前記低電圧以下の状態で緊急通報ボタンが押下された場合に、前記電池からの出力電圧を昇圧し、前記昇圧した電圧により所定の宛先へ緊急通報信号を無線送信することを特徴とする。
【発明の効果】
【０００７】
本発明によれば、電池電圧の低下に伴い低電圧通報が発報された後に緊急ボタンが押下された場合に、所定の宛先へ緊急通報信号を無線送信できる緊急通報装置を提供できる。
【図面の簡単な説明】
【０００８】
【図１】本発明の実施形態に係る緊急通報装置の構成を示したブロック図である。
【図２】本発明の緊急通報装置が行う動作フローチャートである。
【発明を実施するための形態】
【０００９】
以下、本発明の緊急通報装置の実施形態を、図面を参照して説明する。
【００１０】
図１は、本発明の緊急通報装置の構成を示したブロック図である。同図に示す緊急通報装置１は、電池１０１と、電圧監視部１０２と、電圧昇圧部１０３と、通報部１０４と、制御部１０５と、緊急通報ボタン１０６と、無線部１０７と、アラーム部１０８を備えている。
【００１１】
電池１０１は、自装置が備える蓄電池またはバッテリ等の蓄電手段であり、各部に電力を送る。
【００１２】
電圧監視部１０２は、電池１０１の出力電圧を監視し、所定の閾値以下であることを検知した場合に制御部１０５および電圧昇圧部１０３へ通知する。
【００１３】
電圧昇圧部１０３は、電圧監視部１０２が検知した電池１０１の出力電圧が所定の閾値以下である場合に、制御部１０５により起動し、緊急通報ボタン１０６が押下された事を検知した場合に、電池１０１からの出力電圧を昇圧して通報部１０４へ送る。
【００１４】
通報部１０４は、前記電圧監視部１０２が電池１０１の出力電圧が所定の閾値以下であることを検知した場合に、低電圧通報信号を生成し、その信号を制御部１０５へ送出した後、低電圧通報を開始し、アラーム部１０８により電池交換アラームの表示を開始する。また、緊急通報ボタン１０６の押下を検知し、緊急通報信号を生成し、その信号を制御部１０５へ送出した後、緊急通報を開始する。
【００１５】
制御部１０５は、各部の制御を司り、電圧監視部１０２の電圧監視周期を制御し、電圧監視部１０２で検知した電池１０１の出力電圧が所定の閾値以下である信号を受けた場合は、電圧昇圧部１０３の起動を制御する。その間に緊急通報ボタン１０６が押下された事を検知した場合に、電圧昇圧部１０３へ電池１０１からの出力電圧を昇圧する制御を行う。また、同様に電池１０１の出力電圧が所定の閾値以下である信号を受けた場合は、電池交換のアラーム信号をアラーム部１０８へ送出し、また、通報部１０４から緊急通報信号および低電圧通報信号を受けた場合は、その通報信号を無線部１０７へ送出する制御を行う。
【００１６】
緊急通報ボタン１０６は、自装置の利用者が緊急時に押下する為のボタンである。
【００１７】
無線部１０７は、所定の宛先へ緊急通報信号および低電圧通報信号を無線送信する。
アラーム部１０８は、電池１０１の出力電圧が所定の閾値以下であることを検知した場合に電池交換アラームを表示する。
【００１８】
自装置１は、電池１０１の出力電圧を電圧監視部１０２により監視し、その前記電圧が低電圧に近づいてきたか否かを判定する為、第１閾値（例えば、２．２V）を設け、その第１閾値以下か否かにより、電圧監視部１０２の電圧監視周期を変更する。
【００１９】
本実施例における一例として、この電圧監視部１０２の電圧監視周期は、月1回毎としているが、電池１０１の出力電圧が第１閾値以下判定された場合、電圧監視部１０２の電圧監視周期を６時間毎に変更し、電池１０１の出力電圧が低電圧か否か精度を上げて監視する。
【００２０】
また、６時間毎に電池１０１の出力電圧を監視する際、電池１０１の出力電圧が第２閾値（例えば、２．０V）以下になった場合は、電池１０１の出力電圧が低電圧と判定し、通報部１０４にて低電圧通報を開始し、アラーム部１０８にて電池交換アラームの表示を開始する。
【００２１】
その後、電池１０１の出力電圧低下により、制御部１０５がリセット電圧（例えば、１．９V）を検出し制御部１０５の動作が停止する前に緊急通報ボタン１０６が押下された場合は、所定の宛先へ緊急通報を行うために電池１０１からの出力電圧を電圧昇圧部１０３にて昇圧し、緊急通報を開始する。
【００２２】
図２は、本発明の緊急通報装置が行う動作フローチャートである。
【００２３】
本フローチャートは、自装置に電池１０１が実装された後に動作を開始する。初めに、電池１０１の電圧監視を通常の周期である月１回で行い、その電圧監視タイミングが到来したかを判定する（Ｓ２０１）。
【００２４】
ここで、電圧監視タイミングが到来してない場合は（Ｓ２０１、ＮＯ）、その間に緊急通報ボタンが押下されたか否かを判定し（Ｓ２０４）、緊急通報ボタンが押下された場合は（Ｓ２０４、ＹＥＳ）、緊急通報を行い（Ｓ２０５）、その後、Ｓ２０１に戻る。一方、緊急通報ボタンが押下されない場合は（Ｓ２０４、ＮＯ）、Ｓ２０１に戻る。
【００２５】
Ｓ２０１において、通常の電圧監視タイミングが到来した場合は（Ｓ２０１、ＹＥＳ）、その後、電池１０１の出力電圧が第１閾値以下か否かを判定する（Ｓ２０２）。ここで、電池１０１の出力電圧が第１閾値以上の場合は（Ｓ２０２、ＮＯ）、Ｓ２０４へ進み、緊急通報ボタンの押下を循環して監視する。
【００２６】
Ｓ２０２において、電池１０１の出力電圧が第１閾値以下の場合は（Ｓ２０２、ＹＥＳ）、電池１０１の電圧監視を６時間毎の周期で行い、その電圧監視タイミングが到来したかを判定する（Ｓ２０３）。
【００２７】
ここで、電圧監視タイミングが到来してない場合は（Ｓ２０３、ＮＯ）、その間に緊急通報ボタンが押下されたか否かを判定し（Ｓ２０８）、緊急通報ボタンが押下された場合は（Ｓ２０８、ＹＥＳ）、緊急通報を行い（Ｓ２０９）、その後、Ｓ２０３に戻る。一方、緊急通報ボタンが押下されない場合は（Ｓ２０８、ＮＯ）、Ｓ２０３に戻る。
【００２８】
次に、電池１０１の出力電圧が低電圧以下の状態か否かを判定する為、電池１０１の出力電圧が第２閾値以下か否かを判定する（Ｓ２０６）。ここで、電池１０１の出力電圧が第２閾値以上の場合は（Ｓ２０６、ＮＯ）、Ｓ２０８へ進み、緊急通報ボタンの押下を循環して監視する。
【００２９】
Ｓ２０６において、電池１０１の出力電圧が第２閾値以下と判定された場合は（Ｓ２０６、ＹＥＳ）、電池１０１の出力電圧が低電圧以下の状態であると見なし、通報部１０４より低電圧通報を発報し（Ｓ２０７）、アラーム部１０８にて電池交換アラームを表示する（Ｓ２１０）。
【００３０】
その後、制御部１０５にてリセット電圧が検出されたか否かを判定する（Ｓ２１１）。
ここで、制御部１０５のリセット電圧が検出されない場合は（Ｓ２１１、ＮＯ）、緊急通報ボタンが押下されたか否かを判定する（Ｓ２１２）。ここで、緊急通報ボタンが押下されない場合は（Ｓ２１２、ＮＯ）、Ｓ２１１に戻る。
【００３１】
Ｓ２１２において、緊急通報ボタンが押下された場合は（Ｓ２１２、ＹＥＳ）、電池１０１からの出力電圧を電圧昇圧部１０３にて昇圧する（Ｓ２１３）。
【００３２】
そして、通報部１０４により緊急通報を行い（Ｓ２１４）、その後、Ｓ２１１に戻る。
【００３３】
Ｓ２１１において、制御部１０５のリセット電圧が検出された場合は（Ｓ２１１、ＹＥＳ）、制御部１０５の動作が停止し、フローを終了する。また、再び利用者側で電池１０１を交換した後、スタートからの処理が開始する。
【符号の説明】
【００３４】
１      緊急通報装置
１０１  電池
１０２  電圧監視部
１０３  電圧昇圧部
１０４  通報部
１０５  制御部
１０６  緊急通報ボタン
１０７  無線部
１０８  アラーム部
【図１】
2016158193.tif 000003
【図２】
2016158193.tif 000004